(57)【特許請求の範囲】
【請求項１】
消火用水を供給する配管から分岐された立下り配管に、スプリンクラーヘッドを固定したソケットを嵌め込んで接着剤により固定されたスプリンクラーヘッド取付構造に於いて、
前記ソケットは、上側に開口した配管嵌合穴に続いて前記配管嵌合穴より小径の内部流路が設けられると共に前記スプリンクラーヘッドの固定部が設けられ、前記配管嵌合穴から前記内部流路に至る部分に、外側に接着剤を塗布した前記立下り配管の嵌め込みに伴い内部に押し出された前記接着剤を滞留して前記スプリンクラーヘッド側への漏れ出しを抑止する接着剤溜りが形成されたことを特徴とするスプリンクラーヘッド取付構造。
【請求項２】
請求項１記載のスプリンクラーヘッド取付構造に於いて、前記ソケットは、前記接着剤溜りとして機能する上方又は内周側に開いた環状溝が形成されたことを特徴とするスプリンクラーヘッド取付構造。
【請求項３】
消火用水を供給する配管から分岐された立下り配管に、スプリンクラーヘッドを固定したソケットを嵌め込んで接着剤により固定されたスプリンクラーヘッド取付構造に於いて、
前記ソケットは、前記立下り配管側に位置する第１ソケットと前記スプリンクラーヘッド側に位置する第２ソケットに分離され、
前記第１ソケットは、前記立下り配管側に、前記立下り配管を嵌合する配管嵌合穴が上向きに開口して形成されると共に、前記配管嵌合穴の内部に、外周に接着剤を塗布した前記立下り配管を嵌合した場合に内部に押し出された前記接着剤を滞留して前記第２ソケット側への漏れ出しを抑止する接着剤溜りが設けられ、第２ソケット側に、前記第２ソケットを嵌合するソケット嵌合穴が下向きに開口して形成され、
前記第２ソケットは、前記第１ソケット側に、外周に接着剤を塗布して前記ソケット嵌合穴に嵌合した場合に押し出された接着剤を外部に漏出させる嵌合円筒部が上向きに形成されると共に、前記スプリンクラーヘッド側に、前記スプリンクラーヘッドの固定部が下向きに開口して形成されたことを特徴とするスプリンクラーヘッド取付構造。
【請求項４】
請求項３記載のスプリンクラーヘッド取付構造に於いて、前記第１ソケットは、前記配管嵌合穴に続いて前記配管嵌合穴より小径の内部流路が設けられ、前記配管嵌合穴から前記内部流路に至る段付穴のリング状の段付部分に、前記接着剤溜りとして機能する上方又は内周側に開いた環状溝が形成されたことを特徴とするスプリンクラーヘッド取付構造。
【請求項５】
消火用水を供給する配管から分岐された立下り配管に、スプリンクラーヘッドを固定したソケットを嵌め込んで接着剤により固定されたスプリンクラーヘッド取付構造に於いて、
前記立下り配管は、前記ソケットを嵌合するソケット嵌合穴が下向きに開口して形成され、
前記ソケットは、前記立下り配管側に、外周に接着剤を塗布して前記ソケット嵌合穴に突き当て嵌合した場合に押し出された接着剤を、前記立下り配管の前記ソケット側端面と前記ソケットの前記立下り配管側端面との隙間となる外部に漏出させる嵌合円筒部が上向きに形成されると共に、前記スプリンクラーヘッド側に、前記スプリンクラーヘッドの固定部が下向きに開口して形成されたことを特徴とするスプリンクラーヘッド取付構造。
【発明の詳細な説明】
【技術分野】
【０００１】
本発明は、上水道を供給する配管に、火災による熱気流を受けて作動する閉鎖型のスプリンクラーヘッドを装着した消火設備のスプリンクラーヘッド取付構造に関する。
【背景技術】
【０００２】
従来、一般住宅、共同住宅、グループホームなどでは、上水道と同じ配管に閉鎖型のスプリンクラーヘッドを接続し、火災時に上水道を使用して消火を行う消火設備が知られている。
【０００３】
ここで、一般住宅のスプリンクラーヘッドへの水圧は例えば０．０５ＭＰａが要求されており、上水道からの０．０５ＭＰａを超える給水圧力が確保できることで、火災時に充分な消火性能を得ることができる。
【０００４】
図５は従来の上水道直結型の消火設備であり、例えば一般住宅に水道メータ１０１を介して引き込まれた上水道配管１００は一般設備配管１００ａと消火設備配管１００ｂに分岐される。一般設備配管１００ａには、手洗１０２や浴槽１０４に対する蛇口１０６が接続される。
【０００５】
消火設備配管１００ｂには例えば部屋毎に分けて閉鎖型のスプリンクラーヘッド１０８が接続され、また配管末端側でトイレ１１０の給水タンクに接続される。スプリンクラーヘッド１０８は消火設備配管１００ｂに設けたＴ型継手１１２の分岐口からの立下り配管１１４にソケットを介して接続される。
【０００６】
スプリンクラーヘッド１０８は感熱機構で保持された弁部材によりヘッド開口を閉鎖しており、火災による熱気流を受けて感熱機能が所定温度に達すると熱分解して弁部材を離脱させることでヘッド開口を開き、上水道水を散水させる。
【０００７】
ここで、一般設備配管１００ａ、消火設備配管１００ｂ、立下り配管１１４に塩化ビニールで作られた樹脂配管を使用している。
【０００８】
図６は従来の上水道を利用した他の消火設備であり、水道メータ１０１を介して引き込まれた上水道配管１００は一般設備配管１００ａと消火設備配管１００ｂに分岐され、消火設備配管１００ｂは貯水槽１１６に水道水を給水している。貯水槽１１６には消火ポンプ１１８が接続され、消火ポンプ１１８から引き出された消火設備配管１００ｃにスプリンクラーヘッド１０８が接続され、通常監視状態で、消火設備配管１００ｃの管内圧力を所定値に保持している。
【０００９】
火災によりスプリンクラーヘッド１０８が作動して散水すると、図示しない圧力スイッチにより管内圧力の低下を検出して消火ポンプ１１８を起動し、貯水槽１１６から汲み上げた水道水を加圧供給して作動したスプリンクラーヘッド１０８からの散水を継続させる。
【００１０】
図７は図５及び図６の消火設備配管にＴ型継手により分岐接続されるスプリンクラーヘッドの連結構造を示した説明図であり、図７（Ａ）に断面を示し、図７（Ｂ）に組付け前の分解状態を示す。
【００１１】
図７（Ｂ）に示すように、スプリンクラーヘッド１０８の取付け作業は、まず、樹脂製のソケット１２０の下側のねじ穴１２２に、スプリンクラーヘッド１０８の取付ねじ部１２４をねじ込み固定した状態で、Ｔ型継手に接続した樹脂製の立下り配管１１４の先端側外周に液状の接着剤１２６を塗布し、また、接着を確実にするためにソケット１２０の嵌合穴１２８の内面にも接着剤を塗布し、立下り配管１１４に下側からソケット１２０の嵌合穴１２８を嵌め入れ、図６（Ａ）に示すように、接着層１２６ａにより接着固定している。
【先行技術文献】
【特許文献】
【００１２】
【特許文献１】特開２０１０−２１３８２５号公報
【特許文献２】特開２０１２−０９５７９４号公報
【発明の概要】
【発明が解決しようとする課題】
【００１３】
しかしながら、このような従来の消火設備にあっては、図７（Ｂ）に示すように、立下り配管１１４の先端外周に接着剤１２６を塗布して、そこにスプリンクラーヘッド１０８をねじ込み固定したソケット１２０を嵌合した場合、図７（Ａ）に示すように、立下り配管１１４の外周に塗布している接着剤が押し出さて漏出し、矢印で示すようにスプリンクラーヘッド１０８の流入口に流れ込んで硬化し、スプリンクラーヘッド１０８の流入口を閉塞する閉塞部１３０を形成する場合があり、火災によりスプリンクラーヘッド１０８が作動しても、水道水が散布されない問題がある。
【００１４】
この問題を解決するためには、スプリンクラーヘッド１０８の取付け作業の手順として、まず、Ｔ型継手からの立下り配管１１４の先端外周に接着剤１２６を均一に薄く塗布した状態でソケット１２０を嵌合し、接着剤が固着するに十分な養生時間が経過した後に、ソケット１２０の下側にスプリンクラーヘッド１０８をねじ込み固定すれば良い。
【００１５】
しかしながら、共同住宅やグループホームなどの施設では、多数のスプリンクラーヘッドを消火設備配管に分岐接続する作業を必要とし、立下り配管にソケットを接着剤で固着し、接着剤が固着する養生時間を待ってスプリンクラーヘッドをソケットに接続していると、作業工数が大幅に増加し、また、養生時間を必要とすることから作業時間も長くなり、作業効率が低下して設備コストが増加する問題がある。
【００１６】
本発明は、スプリンクラーヘッドを接続したソケットを分岐配管に接着固定しても、接着剤の漏出によるスプリンクラーヘッドの流入口の閉塞を起こすことのない作業性に優れたスプリンクラーヘッド接続構造を提供することを目的とする。
【課題を解決するための手段】
【００１７】
（第１発明のスプリンクラーヘッド取付構造）
本発明は、消火用水を供給する配管から分岐された立下り配管に、スプリンクラーヘッドを固定したソケットを嵌め込んで接着剤により固定されたスプリンクラーヘッド取付構造に於いて、
ソケットのは、上側に開口した配管嵌合穴に続いて配管嵌合穴より小径の内部流路が設けられると共にスプリンクラーヘッドの固定部が設けられ、配管嵌合穴から内部流路に至る部分に、外側に接着剤を塗布した立下り配管の嵌め込みに伴い内部に押し出された前記接着剤を滞留してスプリンクラーヘッド側への漏れ出しを抑止する接着剤溜りが形成されたことを特徴とする。
【００１８】
（接着剤溜りの構造）
ソケットは、接着剤溜りとして機能する上方又は内周側に開いた環状溝が形成される。
【００１９】
（第２発明のスプリンクラーヘッド構造）
本発明の別の形態にあっては、消火用水を供給する配管から分岐された立下り配管に、スプリンクラーヘッドを固定したソケットを嵌め込んで接着剤により固定されたスプリンクラーヘッド取付構造に於いて、
ソケットは、立下り配管側に位置する第１ソケットとスプリンクラーヘッド側に位置する第２ソケットに分離され、
第１ソケットは、立下り配管側に、立下り配管を嵌合する配管嵌合穴が上向きに開口して形成されると共に、配管嵌合穴の内部に、外周に接着剤を塗布した立下り配管を嵌合した場合に内部に押し出された接着剤を滞留して第２ソケット側への漏れ出しを抑止する接着剤溜りが設けられ、第２ソケット側に、第２ソケットを嵌合するソケット嵌合穴が下向きに開口して形成され、
第２ソケットは、第１ソケット側に、外周に接着剤を塗布してソケット嵌合穴に嵌合した場合に押し出された接着剤を外部に漏出させる嵌合円筒部が上向きに形成されると共に、スプリンクラーヘッド側に、スプリンクラーヘッドの固定部が下向きに開口して形成されたことを特徴とする。
【００２０】
（接着剤溜りの構造）
第１ソケットは、配管嵌合穴に続いて配管嵌合穴より小径の内部流路が設けられ、配管嵌合穴から内部流路に至る段付穴のリング状の段付部分に、前記接着剤溜りとして機能する上方又は内周側に開いた環状溝が形成される。
【００２１】
（第３発明のスプリンクラーヘッド構造）
本発明の別の形態にあっては、消火用水を供給する配管から分岐された立下り配管に、スプリンクラーヘッドを固定したソケットを嵌め込んで接着剤により固定されたスプリンクラーヘッド取付構造に於いて、
立下り配管は、ソケットを嵌合するソケット嵌合穴が下向きに開口して形成され、
ソケットは、立下り配管側に、外周に接着剤を塗布してソケット嵌合穴に突き当て嵌合した場合に押し出された接着剤を、立下り配管のソケット側端面とソケットの立下り配管側端面との隙間となる外部に漏出させる嵌合円筒部が上向きに形成されると共に、スプリンクラーヘッド側に、スプリンクラーヘッドをの固定部が下向きに開口して形成されたことを特徴とする。
【発明の効果】
【００２２】
（第１発明のスプリンクラーヘッド取付構造による効果）
本発明は、消火用水を供給する配管から分岐された立下り配管に、閉鎖型のスプリンクラーヘッドをねじ込み固定したソケットを嵌め込んで接着剤により固定されたスプリンクラーヘッド取付構造に於いて、ソケットの内部に、外側に接着剤を塗布した立下り配管の嵌め込みに伴い内部に押し出された前記接着剤を滞留してスプリンクラーヘッド側への漏れ出しを抑止する接着剤溜りが形成されるようにしたため、分岐された立下り配管の下端外周に接着剤を塗布し、そこにスプリンクラーヘッドをねじ込み固定したソケットを嵌合することで、接着剤が押し出されて内部に漏出しても、ソケット内に設けた接着剤溜りに入って滞留し、接着剤溜りの中で硬化することとなり、漏出した接着剤がスプリンクラーヘッドの流入口に入って閉塞することを確実に防止できる。
【００２３】
また、スプリンクラーヘッドをねじ込み固定したソケットを、先端外周に接着剤を塗布した立下り配管に嵌合して接着固定することから、立下り配管にソケットを接着固定し、接着剤が固着する養生時間後に、ソケットにスプリンクラーヘッドをねじ込み固定するといった煩雑で時間のかかる作業を必要とせず、スプリンクラーヘッドの流入口を漏出した接着剤で閉塞させることなく、１回の作業でスプリンクラーヘッドを、ソケットを介して分岐した立下り配管に固定する作業を効率良く行うことを可能とする。
【００２４】
（ソケットの接着剤溜り構造による効果）
また、ソケットは、上側に開口した配管嵌合穴に続いて前記配管嵌合穴より小径の内部流路が設けられると共に内部流路に続いてスプリンクラーヘッドをねじ込み固定するねじ穴が設けられ、配管嵌合穴から内部流路に至る段付穴のリング状の段付部分に、前記接着剤溜りとして機能する上方又は内周側に開いた環状溝が形成されるようにしたため、内部に漏出した接着剤を滞留させるに十分な容積の環状溝が確保され、立下り配管の先端外周に接着剤を均一に薄く塗ることで接着剤の漏出量を可能な限り低減させるといった緻密な作業を必要とすることなく、接着剤をムラなく十分に塗布して接着固定すれば良く、作業効率を高めることを可能とする。
【００２５】
（第２発明のスプリンクラーヘッド取付構造による効果）
本発明の別の形態にあっては、消火用水を供給する配管から分岐された立下り配管に、閉鎖型のスプリンクラーヘッドをねじ込み固定したソケットを嵌め込んで接着剤により固定されたスプリンクラーヘッド取付構造に於いて、ソケットは、立下り配管側に位置する第１ソケットとスプリンクラーヘッド側に位置する第２ソケットに分離され、第１ソケットは、立下り配管側に、立下り配管を嵌合する配管嵌合穴が上向きに開口して形成されると共に、配管嵌合穴の内部に、外周に接着剤を塗布した立下り配管を嵌合した場合に内部に押し出された接着剤を滞留して第２ソケット側への漏れ出しを抑止する接着剤溜りが設けられ、第２ソケット側に、第２ソケットを嵌合するソケット嵌合穴が下向きに開口して形成され、第２ソケットは、第１ソケット側に、外周に接着剤を塗布してソケット嵌合穴に嵌合した場合に押し出された接着剤を外部に漏出させる嵌合円筒部が上向きに形成されると共に、スプリンクラーヘッド側に、スプリンクラーヘッドをねじ込み固定するねじ穴が下向きに開口して形成されるようにしたため、立下り配管と第１ソケットの配管嵌合穴の接着固定は、第１ソケット内に接着剤溜りを形成したことで、内部に漏出した接着剤は接着剤溜りに入ってスプリンクラーヘッド側（下側）に漏れ出して閉塞することはない。
【００２６】
また、第１ソケットの下側のソケット嵌合穴と第２ソケットの上側の嵌合円筒部の接着固定は、下側に位置する第２ソケットの嵌合円筒部の外周に接着剤を塗布し、これを上側に位置する第１ソケットのソケット嵌合穴に嵌合することから、この嵌合で押し出された接着剤は外部に漏出し、内部に漏出することはないから、スプリンクラーヘッドの流入口を閉塞することはない。
【００２７】
更に、第１ソケット内に形成した接着剤溜りから第２ソケットの下端にねじ込み固定したスプリンクラーヘッドの流入口までの距離が、第２ソケットが介在しているぶん長くなり、万一、接着剤溜りを超えて接着剤が漏出したとしても、流入口までの距離が長いことから、途中の内壁への付着により漏出が途中で止まり、スプリンクラーヘッドの流入口を閉塞させることを確実に防止可能とする。
【００２８】
（第１ソケットの接着剤溜り構造による効果）
また、第１ソケットは、配管嵌合穴に続いて配管嵌合穴より小径の内部流路が設けられ、配管嵌合穴から内部流路に至る段付穴のリング状の段付部分に、前記接着剤溜りとして機能する上方又は内周側に開いた環状溝が形成されるようにしたため、内部に漏出した接着剤を滞留させるに十分な容積の環状溝が確保され、立下り配管の先端外周に接着剤を均一に薄く塗ることで接着剤の漏出量を可能な限り低減させるといった緻密な作業を必要とすることなく、接着剤を十分に塗布して接着固定すれば良く、作業効率を高めることを可能とする。
【００２９】
（第３発明のスプリンクラーヘッド取付構造による効果）
本発明の別の形態にあっては、消火用水を供給する配管から分岐された立下り配管に、閉鎖型のスプリンクラーヘッドをねじ込み固定したソケットを嵌め込んで接着剤により固定されたスプリンクラーヘッド取付構造に於いて、立下り配管は、ソケットを嵌合するソケット嵌合穴が下向きに開口して形成され、ソケットは、立下り配管側に、外周に接着剤を塗布してソケット嵌合穴に嵌合した場合に押し出された接着剤を外部に漏出させる嵌合円筒部が上向きに形成されると共に、スプリンクラーヘッド側に、スプリンクラーヘッドをねじ込み固定するねじ穴が下向きに開口して形成されるようにしたため、立下り配管の下側のソケット嵌合穴とソケットの上側の嵌合円筒部の接着固定は、下側に位置するソケットの嵌合円筒部の外周に接着剤を塗布し、これを上側に位置する立下り配管のソケット嵌合穴に嵌合することから、この嵌合で押し出された接着剤は外部に漏出し、内部に漏出することはないから、スプリンクラーヘッドの流入口の閉塞を確実に防止可能とする。
【００３０】
また、スプリンクラーヘッドをねじ込み固定したソケットの上側に形成した嵌合円筒部の外周に接着剤を塗布した立下り配管のソケット嵌合穴に嵌合して接着固定することから、立下り配管にソケットを接着固定し、接着剤が固着する養生時間後に、ソケットにスプリンクラーヘッドをねじ込み固定するといった煩雑で時間のかかる作業を必要とせず、スプリンクラーヘッドの流入口を漏出した接着剤で閉塞させることなく、１回の作業でスプリンクラーヘッドをソケットを介して分岐した立下り配管に固定する作業を効率良く行うことを可能とする。
【図面の簡単な説明】
【００３１】
【図１】スプリンクラーヘッド取付構造の第１実施形態を示した断面図
【図２】スプリンクラーヘッド取付構造の第１実施形態の変形例を示した断面図
【図３】スプリンクラーヘッド取付構造の第２実施形態を示した断面図
【図４】スプリンクラーヘッド取付構造の第３実施形態を示した断面図
【図５】上水道直結型となる従来の消火設備を示した説明図
【図６】上水道を水源とする消火ポンプを設けた従来の消火設備を示した説明図
【図７】従来のスプリンクラーヘッド取付構造を示した断面図
【発明を実施するための形態】
【００３２】
［スプリンクラーヘッド取付構造の第１実施形態］
図１はスプリンクラーヘッド取付構造の第１実施形態を示した断面図であり、図１（Ａ）に断面を示し、図１（Ｂ）の組立て前の分解状態を示す。
【００３３】
図１（Ａ）に示すように、本実施形態のスプリンクラーヘッド取付構造１０は、図４及び図５に示したように、消火設備配管に設けたＴ型継手の分岐口に接続された樹脂製の立下り配管１２の先端に、樹脂製のソケット１４を介して閉鎖型のスプリンクラーヘッド１６を接続している。
【００３４】
ソケット１４は、上側に開口した立下り配管１２を嵌合する配管嵌合穴１８に続いて配管嵌合穴１８より小径の内部流路２５を設け、内部流路２５に続いてスプリンクラーヘッド１６のねじ部２４をねじ込み固定するねじ穴２２を設け、配管嵌合穴１８から内部流路２５に至る段付穴のリング状の段付面に環状溝からなる接着剤溜り２０を形成している。
【００３５】
本実施形態のスプリンクラーヘッド取付構造の組立作業は、次のようになる。図１（Ｂ）に示すように、まず、ソケット１４の下側のねじ穴２２にスプリンクラーヘッド１６の流入口２６を内部に備えたねじ部２４をねじ込み固定して準備する。
【００３６】
続いて、Ｔ型継手により分岐している立下り配管１２の先端側外周の嵌め込み部分に、想像線で示すように液状の接着剤２８をムラなく塗布する。なお、接着剤は、更に、ソケット１４の配管嵌合穴１８の内壁部分に塗布してもよい。
【００３７】
この状態で、スプリンクラーヘッド１６を接続したソケット１４の配管嵌合穴１８を、接着剤２８を塗布している立下り配管１２に下側から嵌合すると、接着剤２８が内部に押し出され、図１（Ａ）の矢印で示すように、下側へ漏出するが、内部流路２５の開口位置となる段付き穴の段付面に形成している接着剤溜り２０に漏出した接着剤が入り込む。
【００３８】
接着剤溜り２０は段付き穴の段付面に環状溝を形成していることから、漏出した接着剤の量に対し、十分に大きな収納容積をもっており、接着剤溜り２０に入り込んだ接着剤は、接着剤溜り２０から溢れることなく留まり、時間の経過に伴って硬化して固着接着剤３０として残る。
【００３９】
また、立下り配管１２とソケット１４の配管嵌合穴１８の間に残っている接着剤は、養生時間が経過すると硬化して接着層２８ａを形成し、立下り配管１２にソケット１４を接着固定する。
【００４０】
このため立下り配管１２の先端外周に接着剤２８を塗布し、スプリンクラーヘッド１６をねじ込み固定したソケット１４を嵌合することで、接着剤が押し出されて内部に漏出しても、ソケット１４内に設けた接着剤溜り２０により滞留硬化させ、漏出した接着剤がスプリンクラーヘッド１６の流入口２６に入って閉塞することを確実に防止できる。
【００４１】
また、スプリンクラーヘッド１６をねじ込み固定したソケット１４を準備し、これを先端外周に接着剤２８を塗布した立下り配管１２に嵌合して接着固定していることから、立下り配管にソケットを接着固定し、接着剤が固着する養生時間後に、ソケットにスプリンクラーヘッドをねじ込み固定するといった煩雑で時間のかかる作業を必要とせず、スプリンクラーヘッド１６の流入口２６を漏出した接着剤で閉塞させることなく、１回の作業でスプリンクラーヘッド１６を、ソケット１４を介してＴ型継手により分岐した立下り配管１２に固定する作業を効率良く行うことを可能とする。
【００４２】
また、ソケット１４の内部に設けた接着剤溜り２０として、内部に漏出した接着剤を滞留させるに十分な容積の環状溝を確保することで、立下り配管１２の先端外周に接着剤を均一に薄く塗ることで接着剤の漏出量を可能な限り低減させるといった緻密な作業を必要とすることなく、接着剤２８をムラなく十分に塗布して接着固定すれば良く、作業効率を高めることを可能とする。
【００４３】
［スプリンクラーヘッド取付構造の第１実施形態］
図２は、スプリンクラーヘッド取付構造の第１実施形態の変形例を示した断面図である。本実施形態にあっては、ソケット１４に形成した配管嵌合穴１８から内部流路２５に至る段付穴の底部内周となるリング状の段付部分に、接着剤溜り２０として機能する内周側に開いた環状溝を形成した点を特徴とする。それ以外の構造は図１の第１実施形態と同じになる。
【００４４】
本実施形態にあっても、スプリンクラーヘッド１６を接続したソケット１４の配管嵌合穴１８を、接着剤２８を塗布している立下り配管１２に下側から嵌合すると、接着剤２８が内部に押し出され、配管嵌合穴１８の底部内周に形成している接着剤溜り２０に漏出した接着剤が入り込み、時間の経過に伴って硬化して固着接着剤３０として残り、漏出した接着剤がスプリンクラーヘッド１６の流入口２６に入って閉塞することを確実に防止できる。
【００４５】
［スプリンクラーヘッド取付構造の第２実施形態］
図３はスプリンクラーヘッド取付構造の第２実施形態を示した断面図である。図３に示すように、本実施形態のスプリンクラーヘッド取付構造１０は、消火設備配管に設けたＴ型継手の分岐口に接続された立下り配管１２の先端に、ソケットを分離した第１ソケット１４ａと第２ソケット１４ｂを介して閉鎖型のスプリンクラーヘッド１６を接続している。
【００４６】
第１ソケット１４ａは、立下り配管１２側に、立下り配管１２を嵌合する配管嵌合穴１８を上向きに開口して形成すると共に、配管嵌合穴１８の内部に、外周に接着剤を塗布した立下り配管１２に嵌合した場合に内部に押し出された接着剤を滞留して第２ソケット１４ｂ側への漏れ出しを抑止する接着剤溜り２０を設けている。即ち、第１ソケット１４ａは、配管嵌合穴１８に続いてそれより小径の内部流路２５ａを設けており、配管嵌合穴１８から内部流路２５ａに至る段付穴のリング状の段付面に環状溝による接着剤溜り２０を形成している。
【００４７】
また、第１ソケット１４ａは、第２ソケット１４ｂを嵌合するソケット嵌合穴３２を下向きに開口して形成している。
【００４８】
第２ソケット１４ｂは、第１ソケット１４ａ側に、外周に接着剤を塗布してソケット嵌合穴３２に嵌合した場合に押し出された接着剤を外部に漏出させる嵌合円筒部３４を上向きに形成している。第２ソケット１４ｂの嵌合円筒部３４は、第１ソケット１４ａのソケット嵌合穴３２に嵌め込み可能な外径をもち、外周に接着剤を塗布した嵌合円筒部３４を第１ソケット１４ａのソケット嵌合穴３２に嵌合した場合に、両者の隙間から押し出された接着剤を外部に漏出させる構造を実現する。
【００４９】
また、第２ソケット１４ｂは、スプリンクラーヘッド１６側に、スプリンクラーヘッド１６のねじ部２４をねじ込み固定するねじ穴２２を下向きに開口して形成している。
【００５０】
このような第２実施形態によるスプリンクラーヘッドの取付け作業は次のようになる。まず、第２ソケット１４ｂのねじ穴２２にスプリンクラーヘッド１６のねじ部２４をねじ込み固定して準備する。
【００５１】
続いて、Ｔ型継手により分岐接続している立下り配管１２の先端外周に液状の接着剤をムラなく塗布し、下側から第１ソケット１４ａの配管嵌合穴１８を嵌め入れる。このとき立下り配管１２と第１ソケット１４ａの配管嵌合穴１８の隙間から接着剤が押し出され、下側へ漏出するが、内部流路２５ａの開口位置となる段付き穴の段付面に形成している接着剤溜り２０に漏出した接着剤が入り込む。
【００５２】
この場合、接着剤溜り２０は段付き穴の段付面に環状溝をリング状に形成していることから、漏出した接着剤の量に対し、十分に大きな収納容積をもっており、接着剤溜り２０に入り込んだ接着剤は、接着剤溜り２０から溢れることなく留まり、時間の経過に伴って硬化して固着接着剤３０ａとして残る。また、立下り配管１２と第１ソケット１４ａの配管嵌合穴１８の間に残っている接着剤は、養生時間が経過すると硬化して接着層２８ａを形成し、立下り配管１２に第１ソケット１４ａを接着固定する。
【００５３】
続いて、スプリンクラーヘッド１６をねじ込み固定した第２ソケット１４ｂの上側の嵌合円筒部３４の外周に液状の接着剤をムラなく塗布し、第１ソケット１４ａの下側に開口したソケット嵌合穴３２に嵌め入れる。このとき、このとき第２ソケット１４ｂの嵌合円筒部３４と第１ソケット１４ａのソケット嵌合穴３２の隙間から接着剤が押し出されて外側に漏出し、時間がたつと硬化して固着接着剤３０ｂとなる。
【００５４】
このように図２の第２実施形態にあっては、立下り配管１２に対する第１ソケット１４ａの配管嵌合穴１８の嵌め込みで内部に漏出した接着剤は、第１ソケット１４ａ内の接着剤溜り２０に入り込んで硬化され、漏出した接着剤がスプリンクラーヘッド１６の流入口２６に入って閉塞することを確実に防止できる。
【００５５】
また、第１ソケット１４ａの下側のソケット嵌合穴３２に対する第２ソケット１４ｂの上側に形成した嵌合円筒部３４の嵌め込みにより押し出された接着剤は、外側に漏出し、内部には漏出しないことから、スプリンクラーヘッド１６の流入口２６を閉塞することはない。
【００５６】
更に、第１ソケット１４ａ内に形成した接着剤溜り２０から第２ソケット１４ｂの下端にねじ込み固定したスプリンクラーヘッド１６の流入口２６までの距離が、第２ソケット１４ｂを介在しているぶん長くなり、万一、接着剤溜り２０を超えて接着剤が漏出したとしても、流入口２６までの距離が長いことから、途中の内部流路２５ａ，２５ｂの内壁への接着剤の付着により漏出が途中で止まり、スプリンクラーヘッド１６の流入口２６を閉塞させることを確実に防止可能とする。
【００５７】
また、立下り配管１２に対する第１ソケット１４ａの接着固定と、これに続く第１ソケット１４ａに対する第２ソケット１４ｂの接着固定は、接着剤の内部への漏れ出しによるスプリンクラーヘッド１６の流入口２６を閉塞する問題が起きないため、１回の作業で行うことができ、第１及び第２ソケット１４ａ，１４ｂを介してＴ型継手により分岐した立下り配管１２に固定する作業を効率良く行うことを可能とする。
【００５８】
また、図３の第２実施形態についても、図２に示した第１実施形態の変形例と同様に、第１ソケット１４ａに形成した配管嵌合穴１８から内部流路２５ａに至る段付穴の底部内周となるリング状の段付部分に、接着剤溜り２０として機能する内周側に開いた環状溝を形成するようにしても良い。
【００５９】
［スプリンクラーヘッド取付構造の第３実施形態］
図４はスプリンクラーヘッド取付構造の第３実施形態を示した断面図である。図４に示すように、本実施形態のスプリンクラーヘッド取付構造１０は、消火設備配管に設けたＴ型継手の分岐口に接続された立下り配管１２の先端に、スプリンクラーヘッド１６をねじ込み固定したソケット１４ｃを接着固定している。立下り配管１２は先端の径を大きくし、その中にソケット嵌合穴３６を下向きに開口して形成している。
【００６０】
ソケット１４ｃは、下側のねじ穴２２にスプリンラーヘッド１６のねじ部２４をねじ込み固定している。また、ソケット１４ｃは、上側に嵌合円筒部３８を形成している。ソケット１４ｃの嵌合円筒部３８は、立下り配管１２のソケット嵌合穴３６に嵌め込み可能な外径をもち、外周に接着剤を塗布した嵌合円筒部３８を立下り配管１２のソケット嵌合穴３６に嵌合した場合に、両者の隙間から押し出された接着剤を外部に漏出させる構造を実現する。
【００６１】
このような第３実施形態によるスプリンクラーヘッド取付構造１０の組立作業は次のようになる。ます、ソケット１４ｃのねじ穴２２にスプリンクラーヘッド１６のねじ部２４をねじ込み固定して準備する。
【００６２】
続いて、スプリンクラーヘッド１６をねじ込み固定したソケット１４ｃの上側の嵌合円筒部３８の外周に、液状の接着剤をムラなく塗布し、立下り配管１２の下側に開口したソケット嵌合穴３６に嵌め入れる。このとき、このときソケット１４ｃの嵌合円筒部３８と立下り配管１２のソケット嵌合穴３６の隙間から接着剤が押し出されて外側に漏出し、時間がたつと硬化して固着接着剤３０ｃとなる。
【００６３】
このように図３の第３実施形態にあっては、立下り配管１２のソケット嵌合穴３６に対するソケット１４ｃの嵌め込みで押し出された接着剤は外側に漏出し、内部には漏出しないことから、スプリンクラーヘッド１６の流入口２６を閉塞することはない。
【００６４】
また、立下り配管１２に対するソケット１４ｃの接着固定は、接着剤の内部への漏れ出しによるスプリンクラーヘッド１６の流入口２６を閉塞する問題が起きないため、１回の作業で行うことができ、ソケット１４ｃを介してＴ型継手により分岐した立下り配管１２に固定する作業を効率良く行うことを可能とする。
【００６５】
また、本実施形態は、図１及び図２に示した第１及び第２実施形態のように、内部に接着剤溜り２０を設ける必要がなく、そのぶん構造が簡単でコストを低減できる。
【００６６】
［本発明の変形例］
上記の第１乃至第３実施形態のスプリンクラーヘッド取付構造は、２つの管部材の連結部分の下側に嵌合穴を形成した場合は、接着固定により接着剤が内部に漏出されることから、内部に接着剤溜りを設けた取付構造とし、一方、２つの管部材の連結部分の上側に嵌合穴を形成し、下側に嵌合円筒部を形成した場合は、接着固定により接着剤が外部に漏出される取付構造とすることができ、何れか一方又は両者を含む取付構造であれば、適宜の取付構造の形態を含むものである。
【００６７】
また、本発明はその目的と利点を損なうことのない適宜の変形を含み、更に上記の実施形態に示した数値による限定は受けない。
【符号の説明】
【００６８】
１０：スプリンクラーヘッド取付構造
１２：立下り配管
１４，１４ｃ：ソケット
１４ａ：第１ソケット
１４ｂ：第２ソケット
１６：スプリンクラーヘッド
１８：配管嵌合穴
２０：接着剤溜り
２２：ねじ穴
２４：ねじ部
２６：流入口
２８：接着剤
２８ａ：接着層
３０，３０ａ〜３０ｃ：固着接着剤
３２，３６：ソケット嵌合穴
３４，３８：嵌合円筒部
【図１】
0006605912.tif 000002
【図２】
0006605912.tif 000003
【図３】
0006605912.tif 000004
【図４】
0006605912.tif 000005
【図５】
0006605912.tif 000006
【図６】
0006605912.tif 000007
【図７】
0006605912.tif 000008